(57)【要約】      （修正有）【課題】皮膚への施術作用面を有する電気筋肉刺激機器を提供する。【解決手段】施術作用面１３がプラスとマイナスのうち一方の極性を有する少なくとも１つの第１電極１５と、プラスとマイナスのうち他方の極性を有し、第１電極１５から離れて第１電極１５の周囲に位置する少なくとも１つの第２電極１７とを備え、第１電極１５と第２電極１７との間で電流が流れるようになっている。第２電極１７の合計面積の２倍の面積は、第１電極１５の合計面積以上であり且つ第１電極１５の合計面積の２倍以下である。【選択図】図２
0003225776.tif 000002
【実用新案登録請求の範囲】
【請求項１】
皮膚への施術作用面を有する電気筋肉刺激機器において、
前記施術作用面がプラスとマイナスのうち一方の極性を有する少なくとも１つの第１電極と、プラスとマイナスのうち他方の極性を有し、前記第１電極から離れて前記第１電極の周囲に位置する少なくとも１つの第２電極とを備え、前記第１電極と第２電極との間で電流が流れるようになっており、
前記第２電極の合計面積の２倍の面積は、前記第１電極の合計面積以上であり且つ前記第１電極の合計面積の２倍以下であることを特徴とする、
電気筋肉刺激機器。
【請求項２】
前記第１電極は前記施術作用面の中央に１つ存在し、前記第２電極は前記第１電極の周囲に円周方向に等間隔に複数配置されることを特徴とする、請求項１に記載の電気筋肉刺激機器。
【請求項３】
前記第２電極は４つ以上の電極から構成されることを特徴とする、請求項１または２に記載の電気筋肉刺激機器。
【考案の詳細な説明】
【技術分野】
【０００１】
本考案は、いわゆるＥＭＳと称される電気筋肉刺激機器に係り、詳しくは電気筋肉刺激機器の施術作用面における電極に関する。
【背景技術】
【０００２】
近年サロン施術においてＥＭＳと称される電気筋肉刺激機器が使用されている。ＥＭＳは、筋肉に電気的な他動運動をさせることにより筋を訓練し強化する方法を云い、これは、人間の身体の細胞1つ1つは微弱電気を発生しており、筋肉や筋肉を支配する運動神経を電気（電流）で刺激すると、その筋肉は収縮するという現象が起きることを利用して筋を訓練し強化する方法である。
サロン施術において、ＥＭＳを人体に適用することにより、鎮痛効果、深部透過性、筋収縮作用、代謝促進効果などの多くの効果が得られることが知られており、低周波刺激と高いマッサージ効果とによって血管を拡張し、血流の循環を促すことができる。
このようなＥＭＳの効果を利用して、例えば特許文献１−８に示すように美容器具、ダイエット器具等において種々の技術が開発されている。
【先行技術文献】
【特許文献】
【０００３】
【特許文献１】特開２００８−２６４０８８号公報
【特許文献２】特開２０１９−０５４９６６号公報
【特許文献３】特開２０１５−１３６５７１号公報
【特許文献４】特開２０１９−１９３７２６号公報
【特許文献５】特開２０１４−０４５９７５号公報
【特許文献６】特開２００８−１７３２３２号公報
【特許文献７】特開２００８−１７３２３１号公報
【特許文献８】特開２００５−０１３５９２号公報
【考案の概要】
【考案が解決しようとする課題】
【０００４】
しかし皮膚への施術作用面を有する電気筋肉刺激機器（以下ＥＭＳ機器という）では、極性の異なる電極間で皮膚を介して電流を流すため、両電極の面積が互いに大きく異なると被施術者が施術作用面で痛みを感じることがある。
またサロン施術手技では、施術者が左右に円を描くように施術することでマッサージ効果を高める方法がある。しかし従来のＥＭＳ機器による施術では、ハンドマッサージと同等なマッサージ効果を得ることができなかった。
【課題を解決するための手段】
【０００５】
本考案は、上述の課題の少なくとも一部を解決するためになされたものであり、ＥＭＳ機器を利用して痛みを伴わずに、サロン施術者による円を描くようなハンドテクニックを模して、それと同等あるいはそれに近いマッサージ効果を得ることができる電気筋肉刺激機器を提供することを目的とする。この目的は以下の形態として実現することが可能である。
【０００６】
本考案の第１の形態は、皮膚への施術作用面を有する電気筋肉刺激機器において、上記施術作用面がプラスとマイナスのうち一方の極性を有する少なくとも１つの第１電極と、プラスとマイナスのうち他方の極性を有し、上記第１電極から離れて上記第１電極の周囲に位置する少なくとも１つの第２電極とを備え、上記第１電極と第２電極との間で電流が流れるようになっており、上記第２電極の合計面積の２倍の面積は、上記第１電極の合計面積以上であり且つ上記第１電極の合計面積の２倍以下であることを特徴とする、電気筋肉刺激機器である。この形態によれば、被施術者が施術作用面で痛みを感じることが緩和される。
【０００７】
本考案の第２の形態は、第１の形態において、上記第１電極は上記施術作用面の中央に１つ存在し、上記第２電極は上記第１電極の周囲に円周方向に等間隔に複数配置されることを特徴とする、電気筋肉刺激機器である。
【０００８】
本考案の第３の形態によれば、第１または第２の形態において、上記第２電極は４つ以上の電極から構成されることを特徴とする、電気筋肉刺激機器である。第２、第３の形態によれば、被施術者が施術作用面で痛みが均等に分散されるため、更に感じる痛みが緩和される。
【図面の簡単な説明】
【０００９】
【図１】本考案の電気筋肉刺激機器の一例であるハンディ型家庭用美容ＥＭＳ装置の斜視図である。
【図２】本考案を適用したハンディ型家庭用美容ＥＭＳ装置の施術作用面の電極配置の一例を示す正面図である。
【図３】本考案を適用したハンディ型家庭用美容ＥＭＳ装置の通電している電極の変化を示す説明図である。
【図４】本考案を適用したハンディ型家庭用美容ＥＭＳ装置の通電状態のフローを示す図である。
【図５】本考案を適用したハンディ型家庭用美容ＥＭＳ装置を施術者がウエスト部分を施術するときの装置の動かし方の一例を示す説明図である。
【考案を実施するための形態】
【００１０】
以下、図面を参照しながら、本考案の電気筋肉刺激機器の実施形態を説明する。図面および以下の説明は、説明される実施例の特徴的な部分のみを説明しており、その他の構成要素の説明は省略している。
【００１１】
図１は、本考案の電気筋肉刺激機器の一例であるハンディ型家庭用美容ＥＭＳ装置１（以下、単に美容ＥＭＳ装置１という）を示す。美容ＥＭＳ装置１は、施術者が手で握るグリップ部３と施術を行うヘッド部５とを備えている。
【００１２】
グリップ部３は長い柄の形態であり、その中に図示しない電池が電力供給手段として収納されている。電池に代えて１００Ｖ電源を電力供給手段とし、コードを経て美容ＥＭＳ装置１の駆動電源とすることもできる。グリップ部３には図示しない制御基板が設けられ、制御基板には波形選択手段７、印加電極選択手段９、制御手段１１等が含まれている。
【００１３】
ヘッド部５は、被施術者の皮膚に触れて施術作用を行う施術作用面１３を備えている。施術作用面１３は図２に示すように中央に位置する円形のプラス電極１５と、プラス電極１５の周囲に同心円状に配置された一例として４つのマイナス電極１７とを備えている。本実施形態では、プラス電極１５が第１電極に相当し、マイナス電極１７が第２電極に相当する。なお本実施形態ではプラス電極の周囲に複数のマイナス電極が配置されている構成であるが、マイナス電極（第１電極）の周囲に複数のプラス電極（第２電極）が配置されている構成とすることも可能である。また中央に位置するプラス電極１５は円形であるが、楕円形、矩形、その他の形状であっても構わない。これはマイナス電極が中央の場合も同様である。更に本実施形態では中央に位置するプラス電極１５は１つであるが、プラス電極１５が複数に分かれていても構わない。この点についてマイナス電極が中央の場合も同様である。
【００１４】
各マイナス電極１７はプラス電極１５に比較的近い箇所に位置決めされている。本実施形態では各マイナス電極１７は細長い楕円形の両端を若干内側に曲げたような形状をしており、細長い楕円形の内周側の辺が円形のプラス電極１５の周囲に沿った形状を有する。４つのマイナス電極１７はプラス電極１５の周囲において、それぞれ時計の０時、３時、６時、９時の方向に位置し、プラス電極１５の周囲に円周方向に等間隔に配置されている。マイナス電極１７の数は４に限らず、２以上の複数とすることができる。各マイナス電極１７の形状は図２に示すものの他、円形、矩形など種々の形態を取ることができるし、すべてが同じ形状である必要はない。また各マイナス電極１７はプラス電極１５の周囲で等間隔に配置されていることが好ましいが、不等間隔に配置されていても構わない。更に各マイナス電極１７はプラス電極１５から等距離離れていることが好ましいが、必ずしも等距離でなくても構わない。以上、プラス電極１５が中央に位置している実施形態について説明したが、マイナス電極が中央の場合に周囲のプラス電極の配置についても同様である。
【００１５】
第２電極であるマイナス電極１７の合計面積の２倍の面積は、第１電極であるプラス電極１５の合計面積以上であり且つプラス電極１５の合計面積の２倍以下である。このような第１電極の面積と第２電極の面積との関係により、被施術者が施術作用面で痛みを感じることが緩和される。
【００１６】
以下、美容ＥＭＳ装置１の作動方法と施術方法について説明する。
第１の態様の作動方法は、
皮膚への施術作用面を有する電気筋肉刺激機器であって、上記施術作用面がプラスとマイナスのうち一方の極性を有する第１電極と、プラスとマイナスのうち他方の極性を有し、上記第１電極から離れて上記第１電極の周囲に位置する複数の第２電極とを備え、上記第１電極と上記一または複数の第２電極との間で選択的に電流が流れるようになっている電気筋肉刺激機器の作動方法において、
上記第２電極の少なくとも１つの電極または２以上の隣接する電極により構成される電極群の第１位置と上記第１電極との間で電流を流す第１ステップと、
上記第１ステップに続き、上記第１位置に隣接する上記第２電極の少なくとも１つの電極または２以上の隣接する電極により構成される電極群の第２位置と上記第１電極との間で電流を流す第２ステップと、
上記第２ステップに続き、上記第２電極の第２位置に対して上記第１位置とは反対側で隣接する上記第２電極の少なくとも１つの電極または２以上の隣接する電極により構成される電極群の第３位置と上記第１電極との間で電流を流す第３ステップと、
を少なくとも備え、
上記少なくとも第１ステップ、第２ステップおよび第３ステップを繰り返すことにより、上記第１電極の周囲を時計周りまたは反時計周りに連続して通電していくステップを有することを特徴とする、電気筋肉刺激機器の作動方法である。
【００１７】
第２の態様の作動方法は、
上記第１ステップにおいて、上記第１位置では連続するＮ個の第２電極の電極群と上記第１電極との間で電流を流し、
上記第２ステップにおいて、上記第２位置では上記Ｎ個の第２電極の電極群のうち少なくとも１つが重複するように、上記Ｎ個の第２電極の電極群の上記第１位置に隣接する別の連続するＮ個の第２電極の電極群と上記第１電極との間で電流を流し、
上記第３ステップにおいて、上記第３位置では、上記第２位置における上記Ｎ個の第２電極の電極群のうち少なくとも１つが重複するように、上記Ｎ個の第２電極の電極群の上記第２位置に対して上記第１位置とは反対側で隣接する更に別の連続するＮ個の第２電極の電極群と上記第１電極との間で電流を流すことを特徴とする、第１の態様の電気筋肉刺激機器の作動方法である。
【００１８】
第３の態様の作動方法は、
上記第２電極は、上記第１電極の周囲に時計周りでａ、ｂ、ｃ、ｄの位置順で４つ配置され、
上記第１ステップにおいて、連続する３つの位置ａ、ｂ、ｃの各々と上記第１電極との間で電流を流し、
上記第２ステップにおいて、連続する３つの位置ｂ、ｃ、ｄの各々と上記第１電極との間で電流を流し、
上記第３ステップにおいて、連続する３つの位置ｃ、ｄ、ａの各々と上記第１電極との間で電流を流し、
上記第３ステップに続く第４ステップにおいて、連続する３つの位置ｄ、ａ、ｂの各々と上記第１電極との間で電流を流し、
その後、上記第１ステップから第４ステップを複数回繰り返すことを特徴とする、第１または第２の態様の電気筋肉刺激機器の作動方法である。
【００１９】
第４の態様の作動方法は、
上記少なくとも第３ステップ、第２ステップおよび第１ステップを繰り返すことにより、請求項１に記載の上記第１電極の周囲で連続して通電していくステップとは逆方向に連続して通電していくステップを更に有することを特徴とする、第１から第３の態様のいずれかの電気筋肉刺激機器の作動方法である。
【００２０】
上記作動方法について具体的に説明する。施術者（被施術者自身でも良い）が美容ＥＭＳ装置１の電源スイッチを入れ電源をＯＮにしたら、波形選択手段７により適宜波形を選択する。これにより電力供給手段を介して印加電極選択手段９に電力が供給される。この状態で施術者が被施術者の皮膚に施術作用面１３を触れさせると、図２に示すようにプラス電極１５から各マイナス電極１７に矢印１９で示すように電気が流れる。図２、図３中、ハッチングを施しているマイナス電極１７は通電状態にあることを意味する。これにより稲妻形の印２１で示すように、電流が流れているプラス電極１５と各マイナス電極１７との間で筋刺激がなされるが、上記のようにプラス電極１５（第１電極）の面積とマイナス電極１７（第２電極）の面積との関係により、被施術者が施術作用面で痛みを感じることが緩和される。
【００２１】
本考案の美容ＥＭＳ装置１では、図３に示すように通電する電極の組み合わせを移動させることができる。本実施形態では４つのマイナス電極１７を有するが、これらを区別するために図３では４つのマイナス電極１７の各位置によってａ、ｂ、ｃ、ｄの符号を付している。まず図３Ａに示すように、最初の通電状態ではａ、ｂ、ｃの位置にある３つのマイナス電極１７により構成される電極群（第１位置に相当する）に通電する。これによりａ、ｂ、ｃの位置にある３つのマイナス電極１７により構成される電極群の各々とプラス電極１５との間の各々（電極ペア１）に電流が流れて各々で筋刺激がなされる（図４の符号２３）。
【００２２】
一定時間後、ｂ、ｃ、ｄの位置にある３つのマイナス電極１７により構成される電極群（第２位置に相当する）に通電する。これによりｂ、ｃ、ｄの位置にある３つのマイナス電極１７により構成される電極群の各々とプラス電極１５との間の各々（電極ペア２）で筋刺激がなされる（図４の符号２５）。更に一定時間後、ｃ、ｄ、ａの位置にある３つのマイナス電極１７により構成される電極群（第３位置に相当する）に通電する。これによりｃ、ｄ、ａの位置にある３つのマイナス電極１７により構成される電極群の各々とプラス電極１５との間の各々（電極ペア３）に電流が流れて筋刺激がなされる（図４の符号２７）。また更に一定時間後、ｄ、ａ、ｂの位置にある３つのマイナス電極１７により構成される電極群（第４位置に相当する）に通電する。これによりｄ、ａ、ｂの位置にある３つのマイナス電極１７により構成される電極群の各々とプラス電極１５との間の各々（電極ペア４）に電流が流れて筋刺激がなされる（図４の符号２９）。第１ループ４１の最後に、再度、最初の通電状態と同じａ、ｂ、ｃの位置にある３つのマイナス電極１７により構成される電極群（第１位置に相当する）に通電する状態になる。このような第１ループ４１を制御手段１１で指定した回数だけ繰り返す。なお図４の符号２３、２５、２７、２９の通電状態の変化は図３のＡ→Ｂ→Ｃ→Ｄの変化に対応する。
【００２３】
上記のように第１ループ４１を繰り返すように制御することで、筋刺激が円を描くようになされる。図５に示すように、施術者（被施術者と同一であっても良い）が美容ＥＭＳ装置１を例えば（ａ）ウエスト部分で円を描くように、または（ｂ）ジグザグに、あるいは（ｃ）外側から内側下方へ動かすように移動させることで、筋刺激が円を描くようになされながら、図５（ａ）（ｂ）（ｃ）中の矢印で示すように美容ＥＭＳ装置１が移動していき、従来、熟練の施術者が行っているような高いマッサージ効果が得られる。
【００２４】
上記実施形態において、例えば図３のＡにおけるマイナス電極１７（第２電極）の電極群の面積の合計はハッチングを施したａ、ｂ、ｃの各位置のマイナス電極１７の面積の合計であり、この合計の２倍の面積が、プラス電極１５（第１電極）の面積以上であり且つプラス電極１５（第１電極）の面積の２倍以下である。同様に４つの位置ａ、ｂ、ｃ、ｄのいずれか３つのマイナス電極１７（第２電極）の電極群の面積の合計は、プラス電極１５（第１電極）の面積以上であり且つプラス電極１５（第１電極）の面積の２倍以下になっている。これにより被施術者が施術作用面で痛みを感じることが緩和される。
【００２５】
次に図４の第２ループ４３について説明する。第２ループ４３は第１ループ４１での電極の変化とは異なり、まず図４の符号３３で示すように、最初の通電状態ではａ、ｂ、ｃ、ｄの全ての位置にある４つのマイナス電極１７に通電する。これによりａ、ｂ、ｃ、ｄの位置にある４つのマイナス電極１７により構成される電極群の各々とプラス電極１５との間の各々（電極ペア５）に電流が流れて筋刺激がなされる。一定時間後、ａ、ｂ、ｃの位置にある３つのマイナス電極１７により構成される電極群だけに通電する。これによりａ、ｂ、ｃの位置にある３つのマイナス電極１７により構成される電極群（第１位置に相当する）の各々とプラス電極１５との間の各々（電極ペア１）に電流が流れて筋刺激がなされる（図４の符号３５）。更に一定時間後、ｂ、ｃ、ｄの位置にある３つのマイナス電極１７により構成される電極群（第２位置に相当する）に通電する。これによりｂ、ｃ、ｄの位置にある３つのマイナス電極１７により構成される電極群の各々とプラス電極１５との間の各々（電極ペア２）に電流が流れて筋刺激がなされる（図４の符号３７）。一定時間後、第２ループ４３の最後に、ｃ、ｄ、ａの位置にある３つのマイナス電極１７により構成される電極群（第３位置に相当する）に通電する。これによりｃ、ｄ、ａの位置にある３つのマイナス電極１７により構成される電極群の各々とプラス電極１５との間の各々（電極ペア３）に電流が流れて筋刺激がなされる（図４の符号３９）。このように第２ループ４３を繰り返すように制御することで、第１ループ４１で得られる筋刺激とは若干異なる筋刺激が円を描くようになされる。
【００２６】
制御装置１１において、第１ループ４１と第２ループ４３とを連続的に実施しても良いし、第１ループ４１と第２ループ４３とを交互に実施するように制御しても良い。第１ループ４１と第２ループ４３の他にも種々の電極の変化が可能であり、これら種々の電極の変化を組み合わせることも可能である。図３のＡ→Ｂ→Ｃ→Ｄは筋刺激が時計周り方向に変化する態様であるが、これとは逆に図３のＥ→Ｆ→Ｇ→Ｈに示すように筋刺激が反時計周り方向に変化する態様であってもよい。更に図３に一連で示すように、Ａ→Ｂ→Ｃ→Ｄの時計周り方向の筋刺激の後、続いてＥ→Ｆ→Ｇ→Ｈの反時計周り方向の筋刺激を与えても良い。このような時計周り方向と反時計周り方向の筋刺激により、一方向での筋刺激とは異なるマッサージ効果が得られる。このような時計周り方向と反時計周り方向の筋刺激は、上記の第１ループ４１、第２ループ４３およびそれらとは異なる他の種々の電極の変化でも適用することができる。
【００２７】
上記の作動において第１位置から第４位置では、それぞれ連続する３つのマイナス電極１７の電極群に通電するようになっているが、各位置において１つのマイナス電極１７（例えばａだけ）（第１位置）に通電し、一定時間後に隣のマイナス電極１７（例えばｂだけ）（第２位置）に通電し、このように順次ｃ（第３位置）だけ、ｄ（第４位置）だけのマイナス電極１７に通電していくようにしても良い。また各位置において隣合う２つのマイナス電極１７（例えばａとｂ）（第１位置）に通電し、一定時間後に隣のマイナス電極１７（例えばｂとｃ）（第２位置）に通電し、このように順次ｃとｄ（第３位置）、ｄとａ（第４位置）のマイナス電極１７に通電していくようにしても良い。図２に示す実施形態ではマイナス電極１７（第２電極）の数が４であるが、５以上であってもよく、例えばマイナス電極１７（第２電極）の数が６である場合を例にとると、ａ→ｂ→ｃ、ｂ→ｃ→ｄ、ｃ→ｄ→ｅ、ｄ→ｅ→ｆ、ｅ→ｆ→ａ、ｆ→ａ→ｂ、ａ→ｂ→ｃのように最初の通電位置がａ→ｂ→ｃ→ｄ→ｅ→ｆのように１つずつずれる態様の他、ａ→ｂ→ｃ、ｃ→ｄ→ｅ、ｅ→ｆ→ａ、ａ→ｂ→ｃのように最初の通電位置が２つずつずれる態様も可能であり、３つ以上ずれていく態様も採りえる。
【００２８】
以上、いくつかの実施例に基づいて本考案の実施の形態について説明してきたが、上記した考案の実施の形態は、本考案の理解を容易にするためのものであり、本考案を限定するものではない。本考案は、その趣旨を逸脱することなく、変更、改良され得るとともに、本考案にはその等価物が含まれることはもちろんである。また、上述した課題の少なくとも一部を解決できる範囲、または、効果の少なくとも一部を奏する範囲において、実用新案登録請求の範囲および明細書に記載された各構成要素の任意の組み合わせ、または、省略が可能である。
【符号の説明】
【００２９】
１  ハンディ型家庭用美容ＥＭＳ装置
３  グリップ部
５  ヘッド部
７  波形選択手段
９  印加電極選択手段
１１  制御手段
１３  施術作用面
１５  プラス電極（第１電極）
１７  マイナス電極（第２電極）
１９  矢印
２１  稲妻形の印
２３−３９  電極ペア
４１  第１ループ
４３  第２ループ
【図１】
0003225776.tif 000003
【図２】
0003225776.tif 000004
【図３】
0003225776.tif 000005
【図４】
0003225776.tif 000006
【図５】
0003225776.tif 000007